【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
流動可能物質用の払出装置であって、以下：
土台部、
土台部に対して伸びた状態と縮んだ状態との間で往復運動することにより、流動可能物質を払出すことができるアクチュエーター部、及び、
アクチュエーター部を伸びた状態と縮んだ状態のいずれか一方に傾けているバネ機構：
からなり、
バネ機構は第一のバネ部及び第二のバネ部からなり、
第一のバネ部は一端が飛び出した細長い板バネ部からなり、このバネ部は、第一の末端で土台部と合体していて、この第一の末端から第二の末端へ、第一のバネ部の縦軸に沿って、アクチュエーター部の方へ伸びていて、
第一のバネ部は、傾いていない状態であって、通常その縦軸と垂直に弾性的にたわんでたわんだ状態になり、この状態から傾いていない状態へ本質的に戻ろうとし、
第二のバネ部は一端が飛び出した細長い板バネ部からなり、このバネ部は、第一の末端でアクチュエーター部と合体していて、この第一の末端から第二の末端へ、第二のバネ部の縦軸に沿って、土台部の方へ伸びていて、
第二のバネ部は、傾いていない状態であって、通常その縦軸と垂直に弾性的にたわんでたわんだ状態になり、この状態から傾いていない状態へ本質的に戻ろうとし、
第一のバネ部の末端付近と第二のバネ部の末端付近とがかみ合っていて、一対の板バネとして相互作用できる
ことを特徴とする払出装置。
【請求項２】
第一のバネ部と土台部とは、プラスチックを射出成型した一体型構造からなる
ことを特徴とする請求項１に記載の払出装置。
【請求項３】
第二のバネ部とアクチュエーター部とは、プラスチックを射出成型した一体型構造からなる
ことを特徴とする請求項１又は２に記載の払出装置。
【請求項４】
土台部はアクチュエーター部に軸回転式に連結していて、ヒンジ軸を中心として軸回転でき、
前記の共通の平面はヒンジ軸に対して垂直である
ことを特徴とする請求項１〜３のいずれか一項に記載の払出装置。
【請求項５】
第一のバネ部の末端付近と第二のバネ部の末端付近とがかみ合っていて、第一のバネ部の縦軸が第二のバネ部の縦軸と実質的に平行である
ことを特徴とする請求項１〜４のいずれか一項に記載の払出装置。
【請求項６】
第一のバネ部の末端付近と第二のバネ部の末端付近とがかみ合っていて、すなわち、第一のバネ部及び第二のバネ部の一方の一部が第一のバネ部及び第二のバネ部のもう一方の一部と入れ子状態で重なり合っていて、傾いていない状態とたわんだ状態との間の動き以外の第一のバネ部と第二のバネ部との相対的な動きが制限又は防止されている
ことを特徴とする請求項１〜５のいずれか一項に記載の払出装置。
【請求項７】
ハウジング部を含み、
アクチュエーター部はハウジング部に軸回転式に連結していて、ヒンジ軸を中心として軸回転でき、
土台部はハウジング部に固定されている
ことを特徴とする請求項１に記載の払出装置。
【請求項８】
ハウジング部、アクチュエーター部及び第二のバネ部は、プラスチックを射出成型した一体型構造からなり、
アクチュエーター部は土台部にリビングヒンジによって軸回転式に連結していて、ヒンジ軸を中心として軸回転できる
ことを特徴とする請求項７に記載の払出装置。
【請求項９】
土台部及び第一のバネ部は、プラスチックを射出成型した一体型構造からなる
ことを特徴とする請求項８に記載の払出装置。
【請求項１０】
アクチュエーター部が伸びた状態と縮んだ状態との間で動く際に、第一のバネ部の縦軸及び第二のバネ部の縦軸が共通の平面上に維持されている
ことを特徴とする請求項１〜９のいずれか一項に記載の払出装置。
【請求項１１】
前記の共通の平面はヒンジ軸に対して垂直である
ことを特徴とする請求項１０に記載の払出装置。
【請求項１２】
バネ機構は二対の同一のバネ対からなり、それぞれのバネ対は第一のバネ部及び第二のバネ部の対からなり、
一方のバネ対の共通の平面と、もう一方のバネ対の共通の平面とは間隔があいている
ことを特徴とする請求項１０又は１１に記載の払出装置。
【請求項１３】
土台部、アクチュエーター部、第一のバネ部及び第二のバネ部は、プラスチックを射出成型した一体型構造からなり、
アクチュエーター部は土台部にリビングヒンジによって軸回転式に連結していて、ヒンジ軸を中心として軸回転でき、
前記の共通の平面はヒンジ軸に対して垂直である
ことを特徴とする請求項１０に記載の払出装置。
【請求項１４】
第一のバネ部の末端付近と第二のバネ部の末端付近とがかみ合っていて、すなわち、第一のバネ部及び第二のバネ部の一方の一部が第一のバネ部及び第二のバネ部のもう一方の一部と入れ子状態で重なり合っていて、第一のバネ部と第二のバネ部との、前記の共通の平面に垂直な相対的な動きが制限又は防止されている
ことを特徴とする請求項１０〜１３のいずれか一項に記載の払出装置。
【請求項１５】
第一のバネ部は、その縦軸に垂直な断面が、前記の共通の平面と平行な面上に二本の脚部を含み、かつ、この二本の脚部同士が前記の共通の平面と垂直な湾曲部によってつながっている形状である
ことを特徴とする請求項１０〜１４のいずれか一項に記載の払出装置。
【請求項１６】
第一のバネ部の二本の脚部は、土台部からの縦軸方向の間隔が大きくなるにつれて、前記の共通の平面と平行な湾曲部からの間隔が小さくなる
ことを特徴とする請求項１５に記載の払出装置。
【請求項１７】
第二のバネ部は、その縦軸に垂直な断面が、前記の共通の平面と平行な面上に二本の脚部を含み、かつ、この二本の脚部同士が前記の共通の平面と垂直な湾曲部によってつながっている形状である
ことを特徴とする請求項１０〜１６のいずれか一項に記載の払出装置。
【請求項１８】
第二のバネ部の二本の脚部は、アクチュエーター部からの縦軸方向の間隔が大きくなるにつれて、前記の共通の平面と平行な湾曲部からの間隔が小さくなる
ことを特徴とする請求項１７に記載の払出装置。
【請求項１９】
第一のバネ部には、二本の脚部の向かい合った部分が前記の平面と垂直方向に互いに近づいたり離れたりして弾性的にたわむことによって実質的に弾性が付与されている
ことを特徴とする請求項１６〜１８のいずれか一項に記載の払出装置。
【請求項２０】
第二のバネ部には、二本の脚部の向かい合った部分が前記の平面と垂直方向に互いに近づいたり離れたりして弾性的にたわむことによって実質的に弾性が付与されている
ことを特徴とする請求項１７〜１９のいずれか一項に記載の払出装置。
【請求項２１】
ハウジング部を含み、
ハウジング部、アクチュエーター部及び第二のバネ部は、プラスチックを射出成型した一体型構造からなり、
アクチュエーター部は土台部にリビングヒンジによって軸回転式に連結していて、ヒンジ軸を中心として軸回転でき、
土台部はハウジング部に固定されていて、
土台部及び第一のバネ部は、プラスチックを射出成型した一体型構造からなる
ことを特徴とする請求項１に記載の払出装置。
【請求項２２】
第二のバネ部は、その縦軸に垂直な断面が、前記の共通の平面と平行な面上に二本の脚部を含み、かつ、この二本の脚部同士が前記の共通の平面と垂直な湾曲部によってつながっている形状であって、
第一のバネ部の二本の脚部は第一のバネ部の湾曲部から第二のバネ部の方向に伸びていて、第一のバネ部の末端付近と第二のバネ部の末端付近とがかみ合っている部分において、第二のバネ部の一部が第一のバネ部の二本の脚部の間に入っている
ことを特徴とする請求項１５に記載の払出装置。
【請求項２３】
第二のバネ部は、その縦軸に垂直な断面が、前記の共通の平面と平行な面上に二本の脚部を含み、かつ、この二本の脚部同士が前記の共通の平面と垂直な湾曲部によってつながっている形状であって、
第一のバネ部の二本の脚部は第一のバネ部の湾曲部から第二のバネ部の方向に伸びていて、
第二のバネ部の二本の脚部は第二のバネ部の湾曲部から第一のバネ部の方向に伸びていて、
第一のバネ部の末端付近と第二のバネ部の末端付近とがかみ合っている部分において、第二のバネ部の脚部の一方の一部が第一のバネ部の二本の脚部の間に入っていて、かつ、第一のバネ部の脚部の一方の一部が第二のバネ部の二本の脚部の間に入っている
ことを特徴とする請求項１５に記載の払出装置。